(57)【特許請求の範囲】
【請求項１】
ユーザの選択に応じて、内部の記録媒体から読み出された第１の情報と、外部に設けられた情報源から供給される複数のチャンネルで提供される第２の情報とを選択的に切り替えて再生する再生装置であって、
前記記録媒体から前記第１の情報を読み出して第１の情報信号を生成する情報信号生成手段と、
前記情報源に対して要求チャンネルを指示するとともに、指示したチャンネルによって提供される前記第２の情報を受けて第２の情報信号を入力する情報信号入力手段と、
ユーザによる操作に応答して、ユーザの選択を示す選択信号を生成する選択信号生成手段と、
前記選択信号に応答して、前記第１および第２の情報信号のいずれか一方を選択する情報信号選択手段と、
前記情報信号選択手段によって選択された前記第１または第２の情報信号から情報を再生する情報再生手段と、
前記選択信号に基づいて再生すべき情報信号を切り替える際に、前記第１および第２の情報の再生開始状態を制御する情報再生制御手段とを備え、
前記情報信号生成手段は、
前記記録媒体から読み出された前記第１の情報から前記記録媒体に記録されているデータがシングルシーケンシャル構成とマルチシーケンシャル構成とのいずれであるかを判定するデータ構成判定部と、
前記判定結果を記憶するデータ構成記憶部とを含み、
前記情報再生制御手段は、
前記記録媒体における前記第１の情報の読み出し位置を記憶する読み出し位置記憶部と、
前記情報信号入力手段が前記情報源に指示する要求チャンネルを記憶するチャンネル記憶部と、
前記選択信号によって前記第１の情報が選択された場合に、前記データ構成記憶部によって記憶されている判定結果がシングルシーケンシャル構成であるときは、前記情報信号入力手段が現に前記情報源に対して指示している要求チャンネルを前記チャンネル記憶部に記憶させるとともに、前記情報信号生成手段が前記読み出し位置記憶部に記憶されている読み出し位置から当該第１の情報を読み出すように制御する第１の制御部と、
前記選択信号によって前記第１の情報が選択された場合に、前記データ構成記憶部によって記憶されている判定結果がマルチシーケンシャル構成であるときは、前記情報信号入力手段が現に前記情報源に対して指示している要求チャンネルを前記チャンネル記憶部に記憶させるとともに、前記情報信号生成手段が前記読み出し位置記憶部に記憶されている読み出し位置から当該第１の情報を読み出さないように制御する第２の制御部と、
前記選択信号によって前記第２の情報が選択された場合に、前記データ構成記憶部によって記憶されている判定結果がシングルシーケンシャル構成であるときは、前記情報信号生成手段が現に前記第１の情報を読み出している位置を前記読み出し位置記憶部に記憶させるとともに、前記チャンネル記憶部に記憶されている要求チャンネルを前記情報源に指示するように前記情報信号入力手段を制御する第３の制御部と、
前記選択信号によって前記第２の情報が選択された場合に、前記データ構成記憶部によって記憶されている判定結果がマルチシーケンシャル構成であるときは、前記情報信号生成手段が現に前記第１の情報を読み出している位置を前記読み出し位置記憶部に記憶させることを停止させるとともに、前記チャンネル記憶部に記憶されている要求チャンネルを前記情報源に指示するように前記情報信号入力手段を制御する第４の制御部とを含む、再生装置。
【請求項２】
前記情報信号生成手段に駆動電力を供給する駆動電源手段をさらに備え、
前記第４の制御部は、前記情報信号生成手段への駆動電力の供給を停止させるように前記駆動電源手段を制御する電力供給停止部を含む、請求項１に記載の再生装置。
【請求項３】
前記第４の制御部は、
前記選択信号によって前記第２の情報が選択された時点から、所定の時間を計測するタイマ部と、
前記所定の時間が経過するまで、前記電力供給停止部の動作を遅延させる電力供給停止遅延部とをさらに含む、請求項２に記載の再生装置。
【請求項４】
前記駆動電源手段は、
外部に設けられた主電源手段から供給される主電力から前記駆動電力を生成する駆動電力生成部と、
前記駆動電力生成部を前記主電源手段に接続して、主電力を供給させる主電力供給スイッチとを含み、
前記第４の制御部は、前記主電力の供給を停止させるように前記主電力供給スイッチを制御する主電力供給停止部をさらに含む、請求項２に記載の再生装置。
【請求項５】
前記情報信号生成手段は、
前記選択信号によって前記第２の情報が選択された時点から、所定の時間を計測するタイマ部と、
前記所定の時間が経過するまで、前記主電力供給停止部の動作を遅延させる主電力供給停止遅延部とをさらに含む、請求項４に記載の再生装置。
【発明の詳細な説明】
【０００１】
【発明の属する技術分野】
本発明は、外部から入力される映像音声信号と、内蔵された光ディスク等の記録媒体から再生される映像音声信号を切り替えて再生表示する再生装置に関する。
【０００２】
【従来の技術】
図１２に、特願平６−３０００３号公報（特開平７−２４０８８２号公報）に提案されている、従来のビデオＣＤ再生装置内蔵テレビジョン受像機の構成を模式的に示す。ビデオＣＤ再生装置内蔵テレビジョン受像機１０００（「再生装置内蔵テレビ」と略称する）は、通常のテレビジョン受信機にビデオＣＤ再生装置を組み込んだものである。再生装置内蔵テレビ１０００は、主にＴＶ入力端子１、ビデオ入力端子２、ＡＶ入力切替スイッチ３（図においては、「ＡＶＳＷ」と表示）、ＲＧＢプロセッサ４、ディスプレイ５、オーディオコントローラ６、スピーカ７、制御器８、操作キー入力器９、およびビデオＣＤ再生装置１０を含む。操作キー入力器９は、ユーザによるキー操作に応じて、操作信号Ｓｏを生成する。
【０００３】
ＣＤ再生装置１０は、再生装置内蔵テレビ１０００の内部に収納されて、ビデオＣＤを再生して内部ＡＶ信号Ｓａｖを生成する。
一方、ＴＶ入力端子１およびビデオ入力端子２は、それぞれ、再生装置内蔵テレビ１０００の外部に設けられたＡＶ信号源に接続されて、ＡＶ信号を内部に導入するために設けられている。つまり、ＴＶ入力端子１は、外部の放送局から有線や無線で配信されるテレビ放送波の受信装置に代表される外部テレビジョン信号源（図示せず）に接続されて、テレビジョン信号Ｓｔｖが入力される。ビデオ入力端子２は、携帯型あるいは据え置き型のビデオカセットレコーダやビデオカメラに代表される外部ＡＶ信号源（図示せず）に接続されて、外部ＡＶ信号Ｓｖｃが入力される。
【０００４】
ＲＧＢプロセッサ４およびディスプレイ５は、ＡＶ入力切替スイッチ３を介して、ＴＶ入力端子１、ビデオ入力端子２、およびビデオＣＤ再生装置１０のいずれか一つに選択的に接続されて、接続状態に応じてテレビジョン信号Ｓｔｖ、外部ＡＶ信号Ｓｖｃ、および内部ＡＶ信号Ｓａｖのいずれかが入力される。
ＡＶ入力切替スイッチ３は、制御器８を介して、操作キー入力器９に接続されて。制御器８は、操作キー入力器９から入力される操作信号Ｓｏに基づいて、ＡＶ入力切替スイッチ３をＴＶ入力端子１、ビデオ入力端子２、およびビデオＣＤ再生装置１０のうちで、ユーザが所望するサービス提供源に対応するもの一つに選択的に接続させる。結果、テレビジョン信号Ｓｔｖ、ビデオ信号Ｓｖ、および内部ＡＶ信号Ｓａｖのうちでユーザが視聴を希望するもの一つがＲＧＢプロセッサ４およびディスプレイ５に出力される。
【０００５】
ＲＧＢプロセッサ４は、ＡＶ入力切替スイッチ３からの入力される信号の音声成分をＲＧＢ信号に変換して出力する。ディスプレイ５はＲＧＢプロセッサ４に接続されて、入力されるＲＧＢ信号に基づいて、画像表示をおこなう。
同様に、オーディオコントローラ６は、ＡＶ入力切替スイッチ３から入力される信号の音声成分を音声信号に変換して出力する。スピーカ７は、オーディオコントローラ６に接続されて、入力される音声信号に基づいて、音声を発生する。
【０００６】
制御器８は、さらにビデオＣＤ再生装置１０、ＲＧＢプロセッサ４、およびオーディオコントローラ６とも接続されて、操作信号Ｓｏに基づいて、それらの動作を制御するとともに、上述のテレビジョン信号Ｓｔｖ、ビデオ信号Ｓｖ、および内部ＡＶ信号Ｓａｖのうちでユーザの所望するものを選択的に出力するようにＡＶ入力切替スイッチ３を制御する。
【０００７】
このように構成された再生装置内蔵テレビ１０００の動作について、簡単に説明する。ユーザは操作キー入力器９に備えられたキーを操作して、利用できるサービスの提供源（本例においては外部に設けられたテレビジョン信号源、ビデオ信号源、およびビデオＣＤ再生装置１０）のうち一つを選択する。このユーザによる選択は、操作信号Ｓｏとして制御器８に伝えられる。ユーザはビデオＣＤ再生装置１０を選択する場合、制御器８は、操作信号Ｓｏに基づいて、ビデオＣＤ再生装置１０を駆動制御するとともに、ＡＶ入力切替スイッチ３をビデオＣＤ再生装置１０から出力される内部ＡＶ信号Ｓａｖを選択させる。
【０００８】
なお、ビデオＣＤ再生中にユーザーがテレビ放送の視聴を望む場合、操作キー入力器９を介して操作をおこなうと制御器８は、ビデオＣＤ再生装置１０に対して一時停止信号を出すとともに、ＡＶ入力切替スイッチ３の接続先をビデオＣＤ再生装置１０からＴＶ入力端子１に切り替える。その後ユーザーが元のビデオＣＤ再生装置１０を再度選択する操作をおこなうと、制御器８はＡＶ入力切替スイッチ３の接続先をトグル式にＴＶ入力端子１からビデオ入力端子２に切り替え、さらにビデオ入力端子２からビデオＣＤ再生装置１０に切り替える。
【０００９】
そして、接続先がビデオＣＤ再生装置１０に切り替わるのと同時に、ビデオＣＤ再生装置１０に対し一時停止を解除する信号を送ることで、始めにビデオＣＤ再生装置１０からＴＶ入力端子１に切り替えて中断した時点から再生を待機していたビデオＣＤの再生を再開させる。なお、ＡＶ入力切替スイッチ３を切り替えた時点でもビデオＣＤ再生装置１０に対し一時停止信号を出さずにそのまま再生を継続させるようにしても良い。
【００１０】
【発明が解決しようとする課題】
上述の再生装置内蔵テレビ１０００に代表されるように、従来の構成においては、一時停止（待機）期間中も、ビデオＣＤは継続して回転され、ビデオＣＤ再生装置内のＣＤデータ読取用のレーザ照射部も動作しつづけており、省エネルギーの観点からも好ましくない。しかも、従来のＭＰＥＧ１を用いたビデオＣＤ等よりさらに高画質なＭＰＥＧ２の圧縮方式を用いたデジタルビデオディスク（以降、「ＤＶＤ」と略称する）が普及している。ＤＶＤの再生装置は、ビデオＣＤに比べて、より高速でディスクを回転させてデータを読み込む。そのため、ＤＶＤ再生装置を内蔵したテレビジョン装置において、サービス提供源の切り替えによる、ＤＶＤ再生装置の一時停止期間中も従来と同様に、ＤＶＤの回転およびレーザ照射部の動作の継続は、ビデオＣＤの場合と比べてより大きな電力消費を招く。
【００１１】
さらに、一時停止（待機）期間中にとどまらず、ユーザがサービス提供源を、内蔵再生装置であるビデオＣＤから、外部の信号源である有線放送などに切り替えてそのまま放置しておいた場合にも、ビデオＣＤの回転およびレーザ照射部の動作が継続されることになり、省エネルギーばかりでなく装置の品質劣化しいては短寿命化を招く。
【００１２】
本発明は、外部から入力される映像音声信号と、内蔵された光ディスク等の記録媒体から再生される映像音声信号を切り替ておこなわれる再生表示に関して、省エネルギー、装置寿命、およびユーザの使用感と言う異なる因子間で相互にバランス取りながら、それぞれの因子が改善された再生装置を提供することを目的とする。
【００１３】
【課題を解決するための手段および発明の効果】
第１の発明は、ユーザの選択に応じて、内部の記録媒体から読み出された第１の情報と、外部に設けられた情報源から供給される複数のチャンネルで提供される第２の情報とを選択的に切り替えて再生する再生装置であって、
記録媒体から第１の情報を読み出して第１の情報信号を生成する情報信号生成器と、
情報源に対して要求チャンネルを指示するとともに、指示したチャンネルによって提供される第２の情報を受けて第２の情報信号を入力する情報信号入力器と、
ユーザによる操作に応答して、ユーザの選択を示す選択信号を生成する選択信号生成器と、
選択信号に応答して、第１および第２の情報信号のいずれか一方を選択する情報信号選択器と、
情報信号選択器によって選択された第１または第２の情報信号から情報を再生する情報再生器と、
選択信号に基づいて再生すべき情報信号を切り替える際に、第１および第２の情報の再生開始状態を制御する情報再生制御器とを備え、
情報再生制御器は、
記録媒体における第１の情報の読み出し位置を記憶する読み出し位置記憶器と、
情報信号入力器が情報源に指示する要求チャンネルを記憶するチャンネル記憶器と、
選択信号によって第１の情報が選択された場合は、情報信号入力器が現に情報源に対して指示している要求チャンネルをチャンネル記憶器に記憶させるとともに、読み出し位置記憶器に記憶されている読み出し位置から第１の情報を読み出すように情報信号生成器を制御する第１の制御器と、
選択信号によって第２の情報が選択された場合は、情報信号生成器が現に第１の情報を読み出している位置を読み出し位置記憶器に記憶させるとともに、チャンネル記憶器に記憶されている要求チャンネルを情報源に指示するように情報信号入力器を制御する第２の制御器とを含む。
【００１４】
上記のように、第１の発明では、記録媒体から情報を再生中に、表示する再生情報の切り替えをする際に、記録媒体の現再生位置を記憶した後に再生を中断させ、記録媒体からの情報再生が再度要求がなされた場合には、記憶した再生中断位置から直ちに再生を再開できるので、中断後の再生再開までの待機期間中に記録媒体および情報信号生成器を稼働を停止できる。結果、省エネルギー、騒音、ノイズ、装置寿命に関して優れた改善効果を得られる。
【００１５】
第２の発明は、第１の発明において、情報再生制御器は、選択信号によって第２の情報が選択された場合には情報信号生成器を停止させる第３の制御器をさらに含む。
【００１６】
第３の発明は、第２の発明において、情報再生制御器は、選択信号によって第１の情報が再度選択された場合には停止させられた情報信号生成器を再稼働させる第４の制御器をさらに含む。
【００１７】
第４の発明は、第１の発明において、チャンネル記憶器は初期設定されたチャンネルを記憶し、
選択信号によって第２の情報が始めて選択された場合は、第２の制御器は、初期設定されたチャンネルを情報源に指示することを特徴とする。
【００１８】
第５の発明は、第３の発明において、記録媒体は光ディスクであり、情報信号生成器は、
光ディスクの記録面からデータを読み取るディスクデータ読取器と、
読み取られたデータを映像音声信号に変換して第１の情報信号を生成するＡＶデコーダ器とを含み、
ディスクデータ読取器は第３の制御器および第４の制御器によってその稼働の停止および再開が制御されることを特徴とする。
【００１９】
第６の発明は、第５の発明において、情報信号生成器は、静止画を表示するためのスクリーンセーバ出力器をさらに含み、
情報再生制御器は、選択信号によって第１の情報の再生の一時停止が選択された場合には、ディスクデータ読取器を停止させるとともにスクリーンセーバ出力器にスクリーンセーバ映像信号を第１の情報信号の代わりに出力させる第５の制御器を含む。
【００２０】
第７の発明は、第５の発明において、情報信号生成器は、
読み取られたデータから光ディスクに記録されているデータがシングルシーケンシャル構成とマルチシーケンシャル構成のいずれであるかを判定するデータ構成判定器と、
判定結果を記憶するデータ構成記憶器とをさらに含み、
情報再生制御器は、
マルチシーケンシャル構成と判定される場合には、読み出し位置記憶器に記憶されている読み出し位置から第１の情報を読み出すように、第１の制御器が情報信号生成器を制御することを禁ずる第６の制御器をさらに含む。
【００２１】
第８の発明は、第１の発明において、情報信号生成器に駆動電力を供給する駆動電源をさらに備え、
第３の制御器は、駆動電力の供給を停止させるように駆動電源を制御する電力供給停止器を含む。
【００２２】
上記のように、第８の発明では、情報信号生成器に対する駆動電力の供給を絶つことにより、より一層の省エネルギーがはかれる。
【００２３】
第９の発明は、第８の発明において、選択信号によって第２の情報が選択された時点から、所定の時間を計測するタイマと、
所定の時間が経過するまで、電力供給停止器の動作を遅延させる電力供給停止遅延器とをさらに備える。
【００２４】
上記のように、第９の発明では、記録媒体および情報信号生成器を稼働を停止させた後に再稼働させるより、稼働状態を保持した方が省エネルギーおよび装置寿命の観点から有利である、中断後の再生再開までの待機時が短い場合に効果がある。
【００２５】
第１０の発明は、第１の発明において、駆動電源は、
外部に設けられた主電源から供給される主電力から駆動電力を生成する駆動電力生成器と、
駆動電力生成器を主電源に接続して、主電力を供給させる主電力供給スイッチとを含み、
第３の制御器は、主電力の供給を停止させるように前主電力供給スイッチを制御する主電力供給停止器を含む。
【００２６】
上記のように、第１０の発明では、主電力から駆動電力を生成する駆動電力生成器に対する主電力そのものの供給を絶つことによって、情報信号生成器に関係なく駆動電力生成器自身が主電力を消費する損出をも防止でき、なおより一層の省エネルギーがはかれる。
【００２７】
第１１の発明は、第１０の発明において、選択信号によって第２の情報が選択された時点から、所定の時間を計測するタイマと、
所定の時間が経過するまで、主電力供給停止器の動作を遅延させる主電力供給停止遅延器とをさらに備える。
【００２８】
上記のように、第９の発明におけるのと同様の効果を有する。
【００２９】
第１２の発明は、第５の発明において、情報信号生成器は、
静止画を表示するためのスクリーンセーバ出力器と、
読み取られたデータから光ディスクの記録されているデータデータがシングルシーケンシャル構成とマルチシーケンシャル構成のいずれであるかを判定するデータ構成判定器と、
判定結果を記憶するデータ構成記憶器とをさらに含み、
情報再生制御器は、
選択信号によって第１の情報の再生の一時停止が選択された場合には、ディスクデータ読取器を停止させるとともにスクリーンセーバ出力器にスクリーンセーバ映像信号を第１の情報信号の代わりに出力させる第５の制御器と、
マルチシーケンシャル構成と判定される場合には、読み出し位置記憶器に記憶されている読み出し位置から第１の情報を読み出すように情報信号生成器を制御することを第１の制御器に禁ずる第６の制御器とを含む。
【００３０】
上記のように、第１、第２、第３、第４、第５、第６、および第７の発明における効果を併せ持つ。
【００３１】
第１３の発明は、第１２の発明において、情報信号生成器に駆動電力を供給する駆動電源をさらに備え、
第３の制御器は、駆動電力の供給を停止させるように駆動電源を制御する電力供給停止器を含む。
【００３２】
上記のように、第８の発明におけるのと同様の効果を有する。
【００３３】
第１４の発明は、第１３の発明において、選択信号によって第２の情報が選択された時点から、所定の時間を計測するタイマと、
所定の時間が経過するまで、電力供給停止器の動作を遅延させる電力供給停止遅延器とをさらに備える。
【００３４】
上記のように、第９の発明におけるのと同様の効果を有する。
【００３５】
第１５の発明は、第１２の発明において、駆動電源は、
外部に設けられた主電源から供給される主電力から駆動電力を生成する駆動電力生成器と、
駆動電力生成器を主電源に接続して、主電力を供給させる主電力供給スイッチとを含み、
第３の制御器は、主電力の供給を停止させるように前主電力供給スイッチを制御する主電力供給停止器を含む。
【００３６】
上記のように、第１０の発明におけるのと同様の効果を有する。
【００３７】
第１６の発明は、第１５の発明において、選択信号によって第２の情報が選択された時点から、所定の時間を計測するタイマと、
所定の時間が経過するまで、主電力供給停止器の動作を遅延させる主電力供給停止遅延器とをさらに備える。
【００３８】
上記のように、第９の発明におけるのと同様の効果を有する。
【００３９】
【発明の実施の形態】
（第１の実施の形態）
図１を参照して、本発明の第１の実施の形態にかかる再生装置内蔵テレビビジョン受像器について説明する。本例にかかる再生装置内蔵テレビジョン受像器（以降、「再生装置内蔵テレビ」と略称する）１００Ａは、情報が記録されたディスク状の記録媒体１１を回転させながら、その記録トラックから情報を再生する再生装置を内蔵している。このような記録媒体１１としては、ビデオＣＤやＤＶＤに代表される光ディスクやハードディスクに代表される磁気ディスクなどが含まれる。そして、再生装置は、回転している記録媒体の記録トラックに対して概ね垂直方向に読み取り部を移動させながら情報を読み取るものが含まれる。なお、本明細書においては、記録媒体１１として光ディスクを用いる光ディスク再生装置Ｐａを例として、以下に述べる。
【００４０】
再生装置内蔵テレビ１００Ａは、主にＴＶ入力端子１、ビデオ入力端子２、ＡＶ入力切替スイッチ３、ＲＧＢプロセッサ４、ディスプレイ５、オーディオコントローラ６、スピーカ７、制御器８ａ、操作キー入力器９ａ、ラストメモリ４１、および光ディスク再生装置Ｐａを含む。なお、再生装置内蔵テレビ１００Ａには、上述のもの以外にも多くの構成要素が含まれるが、本発明の特徴を述べるに特に必要ないので説明を割愛する。
【００４１】
操作キー入力器９ａは、図１２に示した操作キー入力器９に、Ｒ−ＴＵＮＥキー４２が追加されて構成されている。Ｒ−ＴＵＮＥキー４２は、直前に選択したチャンネルに戻すこと（つまりＲａｐｉｄ  ＴＵＮＥ）のユーザの要求を入力する手段である。なお、操作キー入力器９ａは、赤外線あるいは無線によるリモートコントローラによる入力手段を含む。
【００４２】
なお、Ｒ−ＴＵＮＥキー４２は、以下に述べるような主に３種類の異なるテレビジョン視聴形態を選択的に提供するために設けられている。
１番目の視聴形態においては、ある放送局から放送されている番組（テレビ放送）を視聴している時に初めて操作されると、テレビチューナのチャンネルが操作される前に視聴していた番組の放送局に切り替えられる。そして、再度操作されると、テレビチューナのチャンネルは、初めて操作された時に視聴していた番組の放送局に再び切り替えられる。
２番目の視聴形態においては、光ディスク１１を再生視聴している時に操作されると、光ディスク１１の再生が中断されて、光ディスク１１の再生視聴の前に選択視聴されていた番組の放送局からの放送が視聴に供される。そして、再度操作されると、中断されていた光ディスク１１の再生が再開されて視聴に供される。
３番目の視聴形態においては、ビデオカセットレコーダでビデオコンテンツを再生して視聴している時に操作されると、この再生ビデオコンテンツに代わって、このビデオコンテンツの視聴の前に視聴していたテレビ放送が視聴に供される。そして、再度操作されると、再生ビデオコンテンツが再度視聴に供される。
【００４３】
さらに、ラストメモリ４１には、直前に選択されたチャンネル番号等の、ユーザが新たな選択をおこなうまで有効であった選択内容が記憶される。なお、ユーザによる選択がおこなわれない場合のために、ラストメモリ４１には、予め定められた選択情報が初期値として記憶されており、ユーザが選択をおこなうたびに記憶されている選択情報が更新される。
【００４４】
光ディスク再生装置Ｐａは、ディスク再生制御器１２、再生位置記憶レジスタ１３、ＡＶデコーダ２０、およびディスクデータ読取器３０を含む。  ディスクデータ読取器３０は、光ディスク１１を回転させながら、レーザ光を照射して情報を読み出す。ＡＶデコーダ２０は、ディスクデータ読取器３０に接続されて、光ディスク１１から読み出された映像および音声成分をデコードして内部ＡＶ信号Ｓａｖを生成する。なお、ＡＶデコーダ２０およびディスクデータ読取器３０については、後ほど図２および図３を参照してそれぞれ詳しく説明する。
【００４５】
再生位置記憶レジスタ１３は、光ディスク１１の再生中断時に、その再生中断位置を記憶する。これは、後にユーザが光ディスク１１の再生の再開を指示した場合に、中断された位置から再生を再開できるようにするためである。
【００４６】
ディスク再生制御器１２は、ディスクデータ読取器３０、ＡＶデコーダ２０、再生位置記憶レジスタ１３、および制御器８ａに双方向に接続されている。つまり、ディスク再生制御器１２は、制御器８ａからの制御信号に基づいてディスクデータ読取器３０およびＡＶデコーダ２０の動作を制御するとともに、ディスクデータ読取器３０から入力される再生制御信号と、ＡＶデコーダ２０から入力される再生記録信号とに基づいてディスクデータ読取器３０の動作をモニターして、モニター結果を制御器８ａに出力する。制御器８ａは、当該モニター結果に基づいて、ディスク再生制御器１２の動作を決定して制御する。
【００４７】
図２を参照して、ＡＶデコーダ２０について説明する。ＡＶデコーダ２０は、ＳＤＲＡＭ２１、ビデオデコーダ２２、オーディオデコーダ２３、ＮＴＳＣデコーダ２４、ＤＡＣ２５、およびＤＡＣ２６を含む。ＳＤＲＡＭ２１は、１６Ｍｂのメモリで構成されて、ビデオデコーダ２２にワーキングエリアを提供する。
【００４８】
ビデオデコーダ２２は、ディスクデータ読取器３０に接続されて、再生信号Ｓｐが入力される。ビデオデコーダ２２は、入力される再生信号Ｓｐの音声成分をオーディオデコーダ２３に出力するとともに、映像成分をＭＰＥＧデータおよびＭＰ＠ＭＬに代表される各種フォーマットに復号して映像信号を生成する。
【００４９】
ＮＴＳＣデコーダ２４は、ビデオデコーダ２２に接続されて、入力される映像信号をデジタルＮＴＳＣ信号に変換する。ＤＡＣ２５は、ＮＴＳＣデコーダ２４に接続されて、入力されるデジタルＮＴＳＣ信号をデジタル／アナログ変換してビデオ信号Ｓｖを生成する。なお、ＤＡＣ２５は、上述のＡＶ入力切替スイッチ３に接続されている。
【００５０】
オーディオデコーダ２３は、ビデオデコーダ２２に接続されて、入力される再生信号Ｓｐに含まれるＡＣ３、ＭＰＥＧ、およびリニアＰＣＭに代表される各種フォーマットの音声データを復号して音声データを生成する。ＤＡＣ２６は、オーディオデコーダ２３に接続されて、入力される音声信号をデジタル／アナログ変換してオーディオ信号Ｓａを生成する。なお、ＤＡＣ２６は、上述のＡＶ入力切替スイッチ３に接続されている。このようにして、ＤＡＣ２５からの出力であるビデオ信号ＳｖおよびＤＡＣ２６からの出力であるオーディオ信号Ｓａは、上述の内部ＡＶ信号ＳａｖとしてＡＶ入力切替スイッチ３に出力される。
【００５１】
図３を参照して、ディスクデータ読取器３０について説明する。ディスクデータ読取器３０は、スピンドルモータ３１、モータードライバ３２、光ピックアップ３３、ヘッドアンプ３４、信号処理器３５、ディスクサーボ制御器３６、およびデスクランブラ３７を含む。モータードライバ３２は、光ディスク１１を回転させるスピンドルモータ３１を駆動させる。
【００５２】
光ピックアップ３３は回転している光ディスク１１の記録面からデータを読み取って、読み取り信号を生成する。ヘッドアンプ３４は、光ピックアップ３３から入力される読み取り信号を増幅して信号処理器３５およびディスクサーボ制御器３６に出力する。
【００５３】
信号処理器３５は、入力された読み取り信号の中のコンテンツ情報成分をデジタル信号に変換して、デスクランブラ３７に出力する。デスクランブラ３７は、入力されたデジタル読み取り信号をデスクランブルして、上述の再生信号Ｓｐを生成する。
【００５４】
ディスクサーボ制御器３６は、ヘッドアンプ３４から入力された読み取り信号の中の制御情報成分に基づいて、光ディスク１１の回転状態を示すサーボ制御信号Ｓｃを生成する。上述のように、ディスク再生制御器１２は、このサーボ制御信号Ｓｃによってディスクデータ読取器３０の動作を制御する。ディスクサーボ制御器３６は、ディスク再生制御器１２からの指示に基づいて、モータードライバ３２を制御する。
【００５５】
上述の如く構成された再生装置内蔵テレビ１００Ａの動作について、以下に簡単に説明する。ユーザが光ディスク再生装置Ｐａから出力される内部ＡＶ信号Ｓａｖの表示再生を所望する場合、ユーザは図１に示す操作キー入力器９ａを操作して、その意志を入力する。操作キー入力器９ａは、ユーザの操作に対応する操作信号Ｓｏを生成して制御器８ａに出力する。制御器８ａは、操作信号Ｓｏに基づいて、ＡＶ入力切替スイッチ３の接続先を、ＴＶ入力端子１あるいはビデオ入力端子２から光ディスク再生装置Ｐａに切り替えさせる。同時に、制御器８ａは、光ディスク再生装置Ｐａのディスク再生制御器１２に対し再生要求をおこなう。
【００５６】
ディスク再生制御器１２は、ディスクデータ読取器３０に対し読取制御をおこなう。ディスクデータ読取器３０は、モータードライバ３２を動作させ、スピンドルモータ３１を回転させる。また光ピックアップ３３の読取部を適正位置に移動させ、光ディスク１１からデータを光信号として読み出す。
【００５７】
読み出されたデータは、ヘッドアンプ３４で増幅され、信号処理器３５およびディスクサーボ制御器３６に供給される。ディスクサーボ制御器３６は読み出された信号よりスピンドルモータ３１の回転を正しく制御するためのサーボ制御をモータードライバ３２に対しておこなう。また、信号処理器３５は、読み出された信号をデジタル化するための処理をおこないデスクランブラ３７に供給する。
【００５８】
デスクランブラ３７は、送られて来た信号のスクランブルを解読し、処理しやすい形態に変換した再生信号ＳｐをＡＶデコーダ２０に供給する。ビデオデコーダ２２はＳＤＲＡＭ２１を用いて、ＡＶデコーダ２０に供給された再生信号Ｓｐを映像データと音声データにデコードする。
【００５９】
オーディオデコーダ２３は、音声データをさらに復号しデジタル音声データとしてＤＡＣ２６に出力する。デジタル音声データは、ＤＡＣ２６でアナログのオーディオ信号Ｓａに変換される。ビデオデコーダ２２から出力される映像データは、ＮＴＳＣエンコーダでデジタル形式ＮＴＳＣに変換された後、ＤＡＣ２５でさらにビデオ信号Ｓｖに変換される。
【００６０】
これらのオーディオ信号Ｓａおよびビデオ信号Ｓｖは、内部ＡＶ信号ＳａｖとしてＡＶ入力切替スイッチ３に入力される。つまり、ビデオ信号Ｓｖは、ＡＶ入力切替スイッチ３を介してＲＧＢプロセッサ４に入力され、ＲＧＢ信号に変換され、ＣＲＴ等のディスプレイ５で表示される。同様に、オーディオ信号Ｓａも、ＡＶ入力切替スイッチ３を介してオーディオコントローラ６に入力され、音量、およびトーンが制御された後に、スピーカ７で音声として出力される。
【００６１】
次に、ユーザが光ディスク１１を再生中に、光ディスク１１の再生を開始する直前に視聴していたテレビ放送を再び視聴することを所望する場合の動作について説明する。なお、視聴していたテレビ放送とは、視聴していたチャンネルにおける放送を意味する。ユーザは操作キー入力器９ａのＲ−ＴＵＮＥキー４２を操作して、自身の視聴していたテレビ放送の再視聴の要求を入力する。操作キー入力器９ａは、このユーザの操作に対応する操作信号Ｓｏを生成して制御器８ａに出力する。
【００６２】
制御器８ａは、操作信号Ｓｏに基づいて、ユーザのＲ−ＴＵＮＥキー４２の操作状態に応じて、上述の３種類の視聴形態を実現するべく再生装置内蔵テレビ１００Ａを制御する。３種類の視聴形態をＡＶ入力切替スイッチ３の観点から説明する。いま、ＴＶ入力端子１にはＮ種類の放送局から、テレビ放送がＮ種類のチャンネルでテレビジョン信号Ｓｔｖとして配信されているとする（Ｎは任意の自然数）。この場合、配信元の放送局（チャンネル）を識別するために、テレビジョン信号Ｓｔｖ（Ｎ）と表現する。
【００６３】
上述の１番目の視聴形態においては、ユーザはまず、チャンネルＮの放送局からテレビジョン信号Ｓｔｖ（Ｎ）で配信されるテレビ放送を視聴していた後に、チューナを切り替えてチャンネルＮ−１の放送局からテレビジョン信号Ｓｔｖ（Ｎ−１）で配信されるテレビ放送を視聴している状態を想定する。つまり、ＡＶ入力切替スイッチ３は入力信号源としてＴＶ入力端子１に接続し、入力されるテレビジョン信号Ｓｔｖ（Ｎ−１）がＲＧＢプロセッサ４およびオーディオコントローラ６に供給されている。
【００６４】
そして、Ｒ−ＴＵＮＥキー４２が操作されると、制御器８ａはＡＶ入力切替スイッチ３を引き続きＴＶ入力端子１に接続させるとともに、テレビジョン受信機のチューナのチャンネルをＮ−１から、ラストメモリ４１から読み出したチャンネルＮに切り替え、さらにラストメモリ４１にチャンネルＮ−１を記憶させる。結果、ＴＶ入力端子１からはテレビジョン信号Ｓｔｖ（Ｎ−１）の代わりにテレビジョン信号Ｓｔｖ（Ｎ）が入力されて、テレビジョン信号Ｓｔｖ（Ｎ）で配信されるテレビ放送が視聴に供される。なお、Ｒ−ＴＵＮＥキー４２を操作する前に、チャンネルＮ−１のテレビ放送を視聴していない、つまりＮが記憶されていない場合は、ラストメモリ４１に記憶されている初期値のチャンネルに切り替えられる。
【００６５】
２番目の視聴形態においては、ユーザはまず、チャンネルＮの放送局からテレビジョン信号Ｓｔｖ（Ｎ）で配信されるテレビ放送を視聴している途中で、光ディスク再生装置Ｐａによる光ディスク１１の再生を開始して視聴している場合を想定する。つまり、ＡＶ入力切替スイッチ３は入力信号源として光ディスク再生装置Ｐａに接続し、入力される内部ＡＶ信号ＳａｖがＲＧＢプロセッサ４およびオーディオコントローラ６に供給されている。
【００６６】
Ｒ−ＴＵＮＥキー４２が操作されると、制御器８ａは光ディスク再生装置Ｐａを一時停止させるとともに、テレビジョン受信機のチューナのチャンネルをラストメモリ４１から読み出したチャンネルＮに設定する。さらに、制御器８ａはＡＶ入力切替スイッチ３をＴＶ入力端子１に接続させる。結果、内部ＡＶ信号Ｓａｖの代わりにテレビジョン信号Ｓｔｖ（Ｎ）がＲＧＢプロセッサ４およびオーディオコントローラ６に供給されて、チャンネルＮで配信されるテレビ放送が視聴に供される。
【００６７】
そして、再度操作されると、制御器８ａは中断されていた光ディスク１１の再生を再開させ、現在のチャンネルＮをラストメモリ４１に記憶させ、そしてＡＶ入力切替スイッチ３を光ディスク再生装置Ｐａに接続させる。結果、内部ＡＶ信号Ｓａｖが再びＲＧＢプロセッサ４およびディスプレイ５に供給されて光ディスク１１が再生視聴に供される。
【００６８】
３番目の視聴形態においては、ユーザはまず、チャンネルＮの放送局からテレビジョン信号Ｓｔｖ（Ｎ）で配信されるテレビ放送を視聴している途中で、ビデオ入力端子２に接続された据え置き型ビデオカセットレコーダによるビデオコンテンツを再生視聴している場合を想定する。つまり、ＡＶ入力切替スイッチ３はビデオ入力端子２に接続し、入力される外部ＡＶ信号ＳｖｃがＲＧＢプロセッサ４およびオーディオコントローラ６に供給されている。
【００６９】
Ｒ−ＴＵＮＥキー４２が操作されると、制御器８ａはテレビジョン受信機のチューナのチャンネルをラストメモリ４１から読み出したチャンネルＮに設定するとともに、ＡＶ入力切替スイッチ３をＴＶ入力端子１に接続させる。結果、外部ＡＶ信号Ｓｖｃの代わりにテレビジョン信号Ｓｔｖ（Ｎ）がＲＧＢプロセッサ４およびオーディオコントローラ６に供給されて、チャンネルＮで配信されるテレビ放送が視聴に供される。
【００７０】
そして、再度操作されると、制御器８ａは、現在のチャンネルＮをラストメモリ４１に記憶させるとともに、ＡＶ入力切替スイッチ３をビデオ入力端子２に接続させる。結果、外部ＡＶ信号Ｓｖｃが再びＲＧＢプロセッサ４およびディスプレイ５に供給されてビデオコンテンツが再生視聴に供される。
【００７１】
上述の２番目の視聴形態に関して述べたように、ユーザがＲ−ＴＵＮＥキー４２を操作して、ＡＶ入力切替スイッチ３に対して光ディスク再生装置ＰａからＴＶ入力端子１への切り替えを要求すれば、制御器８ａはＡＶ入力切替スイッチ３をＴＶ入力端子１に切り替えるとともにディスク再生制御器１２に対し、保持要求をおこなう。ディスク再生制御器１２は、この要求を受けると直ちに再生位置記憶レジスタ１３に現在の再生位置データを書き込みディスクデータ読取器３０の動作を停止させる。さらにＲ−ＴＵＮＥキー４２が操作されると、制御器８ａはＡＶ入力切替スイッチ３を光ディスク再生装置Ｐａに切り替え、ディスク再生制御器１２に対して保持解除要求をおこなう。ディスク再生制御器１２は、再生位置記憶レジスタ１３の書込値に基づいて、記憶内容読取りディスクデータ読取器３０の読み出し位置の再設定をおこなう。そして、ディスクデータ読取器３０は、再設定された位置から光ディスク１１からデータ読み出しを再開してＡＶデコーダ２０に出力する。
【００７２】
（第２の実施の形態）
図４を参照して、本発明の第２の実施の形態にかかる再生装置内蔵テレビについて説明する。本例にかかる再生装置内蔵テレビ１００Ｂは、光ディスク再生装置Ｐａが光ディスク再生装置Ｐｂに置き換えられている点を除いて図１に示した再生装置内蔵テレビ１００Ａと同様に構成されている。さらに、光ディスク再生装置Ｐｂは、ディスクデータ読取器３０が停止していることを示す映像をディスプレイ５に表示させるために設けられているスクリーンセーバ１４が付加されている点を除けば光ディスク再生装置Ｐａと同様に構成されている。よって、第１の実施の形態にかかる再生装置内蔵テレビ１００Ａと共通の部分についての説明は省くとともに、本実施の形態にかかる再生装置内蔵テレビ１００Ｂに固有の特徴についてのみ説明する。
【００７３】
以下に、再生装置内蔵テレビ１００Ｂの動作について説明する。本実施の形態においては、上述の２番目の視聴形態における動作が上述の第１の実施の形態の場合と異なる。つまり、光ディスク１１を再生視聴している時にＲ−ＴＵＮＥキー４２が操作されると、制御器８ａはディスク再生制御器１２に対して一時保持要求をおこなう。
ディスク再生制御器１２は、直ちに現在の再生位置を再生位置記憶レジスタ１３に記憶させると同時にディスクデータ読取器３０を停止させる。ディスク再生制御器１２はさらに、ＡＶデコーダ２０を経由して、スクリーンセーバ１４を駆動させスクリーンセーバ信号ＳｓをＡＶデコーダ２０に供給させる。ＡＶデコーダ２０は、光ディスク１１からの再生信号の代わりに、スクリーンセーバ信号Ｓｓを内部ＡＶ信号ＳａｖとしてＡＶ入力切替スイッチ３に出力する。
【００７４】
そして、Ｒ−ＴＵＮＥキー４２が再び操作されて、再び光ディスク１１の再生視聴が要求された時に、制御器８ａはディスク再生制御器１２にスクリーンセーバ１４の動作を停止させ、再生位置記憶レジスタ１３の内容を読み取りその位置から再生するようにディスクデータ読取器３０を動作させる。
【００７５】
（第３の実施の形態）
図５を参照して、本発明の第３の実施の形態にかかる再生装置内蔵テレビについて説明する。本例にかかる再生装置内蔵テレビ１００Ｃは、光ディスク再生装置Ｐａが光ディスク再生装置Ｐｃに置き換えられている点を除いて図１に示した再生装置内蔵テレビ１００Ａと同様に構成されている。さらに、光ディスク再生装置Ｐｃは、光ディスク１１に記録されているデータがシングルシーケンシャル構造とマルチシーケンシャル構造のいずれであるかを記憶するシーケンスレジスタが付加されている点を除いて光ディスク再生装置Ｐａと同様に構成されている。よって、第１の実施の形態にかかる再生装置内蔵テレビ１００Ａと共通の部分についての説明は省くとともに、本実施の形態にかかる再生装置内蔵テレビ１００Ｃに固有の特徴についてのみ説明する。
【００７６】
再生装置内蔵テレビ１００Ｃは、光ディスク１１として、ＤＶＤに代表されるビデオディスクの再生に対応している。このようなビデオディスクは、コンテンツデータの構造から、シングルシーケンシャルタイプとマルチシーケンシャルタイプとのいずれかに分類される。コンテンツが映画などのビデオディスクは、一般的にシングルシーケンシャル構造でデータが記録されている。一方、デモンストレーション等の特殊用途のビデオディスクは、マルチシーケンシャル構造でデータで記録されている。
【００７７】
シングルシーケンシャルタイプのビデオディスクは、一時保持をした際の再生位置を明確に把握できる。しかしながら、マルチシーケンシャルタイプのビデオディスクは、一般的に、一時保持処理をした際の再生位置を明確に把握できず、保持した時点から再生を再開しようとすると、予期しないところから再生されるような不都合が起こりうる。このような事態を避けるために、本実施の形態においては、光ディスク１１がシングルシーケンシャルタイプの場合と、マルチシーケンシャルタイプの場合で、上述の２番目の視聴形態における動作を変化させるものである。
【００７８】
光ディスク１１がデータ構造タイプがシングルシーケンシャルであるのか、マルチシーケンシャルであるのかは、光ディスク１１の再生開始時にディスク再生制御器１２によって判別されて、再生位置記憶レジスタ１３に記憶される。そして、ユーザがＲ−ＴＵＮＥキー４２を操作して光ディスク再生装置Ｐｃの一時保持要求をした場合、制御器８ａはディスク再生制御器１２に現在再生されているディスクのデータ構造タイプを問い合わせる。ディスク再生制御器１２は、シーケンスレジスタ１５から光ディスク１１のデータ構造タイプを読み出して制御器８ａに知らせる。
【００７９】
光ディスク１１がシングルシーケンシャルタイプであれば、制御器８ａは、第１の実施の形態にかかる再生装置内蔵テレビ１００Ａと同様に、ディスク再生制御器１２に対して一時保持指令を発する。一方、光ディスク１１がマルチシーケンシャルタイプであれば、制御器８ａはディスク再生制御器１２に対し一時保持指令はおこなわない。一時保持指令が、ＡＶ入力切替スイッチ３の切り替えを伴う場合は、制御器８ａはＡＶ入力切替スイッチ３の切り替え動作のみをおこなわせる。
【００８０】
（第４の実施の形態）
図６を参照して、本発明の第４の実施の形態にかかる再生装置内蔵テレビについて説明する。本例にかかる再生装置内蔵テレビ１００Ｄは、光ディスク再生装置Ｐａに電力を供給するユニット電源１６が付加されている点を除いて図１に示した再生装置内蔵テレビ１００Ａと同様に構成されている。ユニット電源１６は、制御器８ａによって制御されて、外部の主電源（図示せず）から供給される主電力から光ディスク再生装置Ｐａの駆動に必要なユニット電力を生成する。
【００８１】
本実施の形態においては、光ディスク再生装置Ｐａの一時保持要求時の電力消費を改善することを目的としている。つまり、上述の２番目の視聴形態における動作が第１の実施の形態の場合と異なる。具体的には、光ディスク１１を再生視聴している時にＲ−ＴＵＮＥキー４２が操作されると、制御器８ａはディスク再生制御器１２に対して一時保持要求をおこなう。ディスク再生制御器１２は、現在の再生位置を判別し、再生位置記憶レジスタ１３にその内容を書き込むとともに、停止要求をディスクデータ読取器３０に対しておこなう。さらに、ディスク再生制御器１２は、データバックアップ後、完了報告を制御器８ａに対しておこなう。制御器８ａはその内容を検出した後、ユニット電源１６を停止させる。
【００８２】
そして、操作キー入力器９より再度、光ディスク再生装置Ｐａの再生要求がなされた場合、制御器８ａはユニット電源１６を動作させる。ユニット電源１６からの電力供給が再開されて、ディスク再生制御器１２は動作を開始し、まず再生位置記憶レジスタ１３の書き込み内容を判別する。この内容が有効なものであればこの内容を読み取りこの位置から再生を開始するようにディスクデータ読取器３０に対し指令をおこなう。制御器８ａは、その後直ちにＡＶ入力切替スイッチ３を光ディスク再生装置Ｐａ側に切り替える。このようにして、光ディスク再生装置Ｐａを稼働する必要が無い一時保持（待機）時に、電力供給に断つことによって、無駄な電力消費を防止できる。
【００８３】
図７を参照して、本発明の第４の実施の形態にかかる再生装置内蔵テレビの変形例について説明する。本例にかかる再生装置内蔵テレビ１００Ｄｒは、再生装置内蔵テレビ１００Ｄｒ全体に電力を供給する主電源ＭＰＳが付加されているとともに、ユニット電源１６はユニット電力供給器１６ｒに置き換えられている。ユニット電力供給器１６ｒは、主電力から光ディスク再生装置Ｐａの駆動用ユニット電力を生成するユニット電力生成器ＵＰＳと主電源供給スイッチＰＳＷを含む。ユニット電力生成器ＵＰＳは主電源供給スイッチＰＳＷを介して主電源ＭＰＳに接続される。
【００８４】
これは、再生装置内蔵テレビ１００Ｄにおける光ディスク再生装置Ｐａの一時保持要求時の電力消費低減をさらに改善することを目的としているつまり、上述の２番目の視聴形態における光ディスク再生装置Ｐａへの電力供給方法が第４の実施の形態の場合と若干異なる。具体的には、再生装置内蔵テレビ１００Ｄｒにおいては、光ディスク再生装置Ｐａに対する一時保持要求時には、制御器８ａは電力供給スイッチＳＷを操作して、ユニット電力生成器ＵＰＳ（しいては、ユニット電力供給器１６ｒ）への主電力の供給を絶つ。一方、再生装置内蔵テレビ１００Ｄにおいては、ユニット電源１６を停止させる時にも、ユニット電源１６に対する主電力の供給を断たない。
【００８５】
つまり、ユニット電源１６やユニット電力供給器１６ｒ（ユニット電力生成器ＵＰＳ）は、入力される一時電力を変換して、二次電力を生成してユニット電力として出力する電力変換器である。電力変換器は、二次電力を出力しなくても、印加されている一時電力を熱などの形で放出するエネルギーロスを生じる。このエネルギーロスは光ディスク再生装置Ｐａ全体やその一部の構成要素によって消費される電力に比べると小さい。しかしながら、再生装置内蔵テレビ１００Ｄに通電されている間は常に生じる、稼働の観点から不必要な電力消費である。本変形例においては、そのような電力変換にかかる不必要なロスをも防止するものである。
【００８６】
（第５の実施の形態）
図８を参照して、本発明の第５の実施の形態にかかる再生装置内蔵テレビについて説明する。本例にかかる再生装置内蔵テレビ１００Ｅは、ＡＶ入力切替スイッチ３に対する切り替え要求がなされた時点から任意時間Ｔを測定するタイマ１７が付加されている点を除いて図６に示した再生装置内蔵テレビ１００Ｄと同様に構成されている。
【００８７】
本実施の形態においては、光ディスク再生装置Ｐａの一時保持要求時の光ディスク再生装置Ｐａの停止を所定時間だけ遅延させることによって、ユーザの使用感、電力消費および製品寿命の改善することを目的としている。一般的に電力消費の観点からは、一時保持要求時には光ディスク再生装置Ｐａへの電力供給を直ちに絶つことが望ましい。しかしながら、一旦停止した光ディスク再生装置Ｐａを再起動させるには、運転時に比べて多大な起動電力が必要になる。そのため、ユーザが光ディスク再生装置Ｐａの視聴時を中断して、例えばテレビ放送の内容を確認後、再度光ディスク再生装置Ｐａの視聴を再開する場合などは、その中断時間によっては、光ディスク再生装置Ｐａの稼働を継続させておいた方が、電力消費を抑えることができる。さらに、光ディスク再生装置Ｐａの寿命の観点からみると、多大な起動電力での再起動の回数を抑える方が有利である。また、光ディスク再生装置Ｐａの再起動には時間を要するために、ユーザが光ディスク再生装置Ｐａの視聴を中断後に、再度視聴する際に、視聴が待たされるというユーザの使用感を損なうと言う問題がある。
【００８８】
つまり、省資源を含めた省エネルギーの観点から言えば、一時保持要求時には光ディスク再生装置Ｐａへの電力供給を直ちに絶つことが最善とは言えない。光ディスク再生装置Ｐａへの即時電力供給停止による省電力量と、光ディスク再生装置Ｐａの再起動に要する消費電力量と、連続稼働と断続稼働による光ディスク再生装置Ｐａの寿命という３つの主因子間のバランスをとることが大事である。さらに、商品としてのユーザの使用感も大事な４番目の主因子である。これらの因子の最適値は、装置毎にその物性や使用状態に応じて適正に決定されるものであり、一義的に決めることはできない。そこで、本変形例においては、これらの異なる４つの主因子を考慮した再生装置内蔵テレビを提供するべく、一時保持要求時には光ディスク再生装置Ｐａへの電力供給停止時間を調整する手段をさらに提供するものである。
【００８９】
つまり、上述の２番目の視聴形態における動作が第５の実施の形態の場合と若干異なる。具体的には、Ｒ−ＴＵＮＥキー４２により光ディスク再生装置ＰａからＴＶ入力側に入力の切り替え要求がなされた場合、制御器８ａは、直ちにタイマ１７の動作を開始させる。制御器８ａは、さらにＡＶ入力切替スイッチ３に対し入力の切り替えを指示するとともに、ディスク再生制御器１２に対して一時保持を指示する。ディスク再生制御器１２は、現時点での再生位置を再生位置記憶レジスタ１３に対し書き込んだ後、ディスクデータ読取器３０を停止させる。その後、任意時間Ｔが経過（タイマ１７からの割り込み信号を検出）する迄に、操作キー入力器９による入力信号の切り替え要求がなされない場合、制御器８ａは、ディスク再生制御器１２に対し停止処理をおこなう。
【００９０】
そして、ディスク再生制御器１２から完了信号を受け取ると、制御器８ａは直ちにユニット電源１６を停止させる。その後、Ｒ−ＴＵＮＥキー４２が操作されて光ディスク再生装置Ｐａの再生が指示されると、制御器８ａはユニット電源１６を立ち上げて、光ディスク再生装置Ｐａに対する電力供給を再開する。ディスク再生制御器１２は稼働を再開して、再生位置記憶レジスタ１３に記憶されている再生記憶位置を読み出しディスクデータ読取器３０に対し位置設定の処理をおこなう。ディスクデータ読取器３０から読み出されたデータはＡＶデコーダ２０によってＡＶデータ再生されＡＶ入力切替スイッチ３を介して提示される。
【００９１】
図９を参照して、本発明の第５の実施の形態にかかる再生装置内蔵テレビの変形例について説明する。本例にかかる再生装置内蔵テレビ１００Ｅｒは、再生装置内蔵テレビ１００Ｅｒ全体に電力を供給する主電源ＭＰＳが付加されているとともに、ユニット電源１６はユニット電力供給器１６ｒに置き換えられている。これらの主電源ＭＰＳおよびユニット電力供給器１６ｒは、図７を参照して説明した、再生装置内蔵テレビ１００Ｅｒにおけるのと同じ構成のものが同じ目的のために設けられている。再生装置内蔵テレビ１００Ｅにおける光ディスク再生装置Ｐａの一時保持要求時の電力消費低減をさらに改善することを目的としている。つまり、上述の２番目の視聴形態における光ディスク再生装置Ｐａへの電力供給方法が第５の実施の形態の変形例である再生装置内蔵テレビ１００Ｄｒの場合と同様に、再生装置内蔵テレビ１００Ｅｒにおいても、ユニット電力供給器１６ｒへの主電力の供給を絶って光ディスク再生装置Ｐａを停止させる。
【００９２】
（第６の実施の形態）
図１０を参照して、本発明の第６の実施の形態にかかる再生装置内蔵テレビについて説明する。本例にかかる再生装置内蔵テレビ１００Ｆは、上述の第１の実施の形態、第２の実施の形態、第３の実施の形態、第４の実施の形態、および第５の実施の形態にかかる再生装置内蔵テレビの特徴を全て取り込んで構成されている。つまり、再生装置内蔵テレビ１００Ｆは、図８に示した再生装置内蔵テレビ１００Ｅの光ディスク再生装置Ｐａにスクリーンセーバ１４とシーケンスレジスタ１５が不要されて構成された光ディスク再生装置Ｐｅに置き換えられている。なお、光ディスク再生装置Ｐｅにおいて、スクリーンセーバ１４との関係は図４を参照して光ディスク再生装置Ｐｂに関して説明した通りであり、シーケンスレジスタ１５との関係は図５を参照して光ディスク再生装置Ｐｃに関して説明した通りである。
【００９３】
本実施の形態においても、光ディスク再生装置Ｐｅの一時保持要求時の電力消費を改善することを目的としている。つまり、Ｒ−ＴＵＮＥキー４２の操作により元のチャンネル番号に切り替え要求がなされると、制御器８ａはその内容を判別し、ラストメモリ４１に記憶されたチャンネル番号をＡＶ入力切替スイッチ３に接続されるＴＶ入力のチューナの設定をおこなうと同時にＡＶ入力切替スイッチ３をＴＶ入力側に切り替える。
【００９４】
さらに制御器８ａは、ディスク再生制御器１２に対し、シーケンシャル判別要求をおこなう。ディスク再生制御器１２は、シーケンスレジスタ１５の内容を制御器８ａに対し返す。マルチシーケンシャルであれば、制御器８ａは、ディスク再生制御器１２に対し停止要求をおこなう。それに伴いディスク再生制御器１２は、ディスクデータ読取器３０を停止させるとともに、スクリーンセーバ１４を動作させＡＶデコーダ２０を介してスクリーンセーバ信号ＳｓをＡＶ入力切替スイッチ３に出力する。
【００９５】
シーケンスレジスタ１５の内容がシングルシーケンシャルであれば、タイマ１７を起動させるとともにディスク再生制御器１２に対し一時保持要求をおこなう。ディスク再生制御器１２は、現在の再生位置を再生位置記憶レジスタ１３に書き込みディスクデータ読取器３０を停止させる。
【００９６】
任意の時間Ｔ経過するまでに、操作キー入力器９ａに対し、光ディスク１１再生装置１１ｄへの再生処理要求がおこなわれた場合、制御器８ａは直ちにそれを判別し、ディスク再生制御器１２に要求する。ディスク再生制御器１２は、再生位置記憶レジスタ１３から再生位置を読み出し、ディスクデータ読取器３０に対しその位置を設定し再生を開始するように指令する。
【００９７】
任意時間Ｔが経過するまでに、光ディスク１１再生装置１１ｄへの再生処理要求が行われれない場合には、タイマ１７より割り込み要求が制御器８ａに対しておこなわれる。制御器８ａは、光ディスク１１再生装置１１ｄのバックアップ完了を確認した後、ユニット電源１６を停止させて、光ディスク再生装置Ｐａへの電力供給を絶つ。
【００９８】
光ディスク再生装置Ｐａへの電力供給断絶の後に、Ｒ−ＴＵＮＥキー４２が再度操作がなされると、制御器８ａはその内容を判別しユニット電源１６を立ち上げる。電源が立ち上がったことによりディスク再生制御器１２は、シーケンスレジスタ１５の内容を読取り、シングルシーケンシャルであれば、再生位置記憶レジスタ１３に記憶された位置からの、マルチシーケンシャルであれば初期位置からの再生をディスクデータ読取器３０に対しておこなう。
【００９９】
ディスクデータ読取器３０から呼び出されたデータはＡＶデコーダ２０でＡＶ信号にデコードされ、制御器８ａにより光ディスク１１側に切り替えられたＡＶ入力切替スイッチ３を介してＲＧＢプロセッサ４によりＲＧＢ信号に復号されディスプレイ５に表示され、オーディオコントローラ６で音声に復号されスピーカ７より再生される。
【０１００】
図１１を参照して、本発明の第６の実施の形態にかかる再生装置内蔵テレビの変形例について説明する。本例にかかる再生装置内蔵テレビ１００Ｆｒは、再生装置内蔵テレビ１００Ｆｒ全体に電力を供給する主電源ＭＰＳが付加されているとともに、ユニット電源１６はユニット電力供給器１６ｒに置き換えられている。これらの主電源ＭＰＳおよびユニット電力供給器１６ｒは、図７を参照して説明した、再生装置内蔵テレビ１００Ｅｒにおけるのと同じ構成のものが同じ目的のために設けられている。再生装置内蔵テレビ１００Ｅにおける光ディスク再生装置Ｐａの一時保持要求時の電力消費低減をさらに改善することを目的としている。
【０１０１】
つまり、上述の２番目の視聴形態における光ディスク再生装置Ｐｅへの電力供給方法が第５の実施の形態の変形例である再生装置内蔵テレビ１００Ｅｒの場合と同様に、再生装置内蔵テレビ１００Ｆｒにおいても、ユニット電力供給器１６ｒへの主電力の供給を絶って光ディスク再生装置Ｐａを停止させる。またキー操作に関しては、Ｒ−ＴＵＮＥキー４２を用いる場合を例に説明したが、操作キー入力器９ａより直接チャンネル番号を入力するように場合も同等の効果が得られ、本発明に含まれることは言うまでもない。
【図面の簡単な説明】
【図１】本発明の第１の実施の形態にかかる再生装置の構成を示すブロック図である。
【図２】図１に示したＡＶデコーダの詳細な構成を示すブロック図である。
【図３】図１に示したディスクデータ読取器の詳細な構成を示すブロック図である。
【図４】本発明の第２の実施の形態にかかる再生装置の構成を示すブロック図である。
【図５】本発明の第３の実施の形態にかかる再生装置の構成を示すブロック図である。
【図６】本発明の第４の実施の形態にかかる再生装置の構成を示すブロック図である。
【図７】図６に示した再生装置の変形例の構成を示すブロック図である。
【図８】本発明の第５の実施の形態にかかる再生装置の構成を示すブロック図である。
【図９】図８に示した再生装置の変形例の構成を示すブロック図である。
【図１０】本発明の第６の実施の形態にかかる再生装置の構成を示すブロック図である。
【図１１】図１０に示した再生装置の変形例の構成を示すブロック図である。
【図１２】従来の再生装置の構成を示すブロック図である。
【符号の説明】
１００Ａ、１００Ｂ、１００Ｃ、１００Ｄ、１００Ｅ、１００Ｅｒ、１００Ｆ、１００Ｆｒ、１０００  再生装置内蔵テレビ
１  ＴＶ入力端子
２  ビデオ入力端子
３  ＡＶ入力切替スイッチ
４  ＲＧＢプロセッサ
５  ディスプレイ
６  オーディオコントローラ
７  スピーカ
８、８ａ  制御器
９、９ａ  操作キー入力器
４１  ラストメモリ
４２  Ｒ−ＴＵＮＥキー
Ｐａ  光ディスク再生装置
１２  ディスク再生制御器
１３  再生位置記憶レジスタ
１４  スクリーンセーバ
１５  シーケンスレジスタ
１６  ユニット電源
１６ｒ  ユニット電力供給器１６
ＳＷ  電力供給スイッチ
ＭＰＳ  主電源
２０  ＡＶデコーダ
２１  ＳＤＲＡＭ
２２  ビデオデコーダ
２３  オーディオデコーダ
２４  ＮＴＳＣデコーダ
２５、２６  ＤＡＣ
３０  ディスクデータ読取器
３１  スピンドルモータ
３２  モータードライバ
３３  光ピックアップ
３４  ヘッドアンプ
３５  信号処理器
３６  ディスクサーボ制御器
３７  デスクランブラ
【図１】
0004672887.tif 000002
【図２】
0004672887.tif 000003
【図３】
0004672887.tif 000004
【図４】
0004672887.tif 000005
【図５】
0004672887.tif 000006
【図６】
0004672887.tif 000007
【図７】
0004672887.tif 000008
【図８】
0004672887.tif 000009
【図９】
0004672887.tif 000010
【図１０】
0004672887.tif 000011
【図１１】
0004672887.tif 000012
【図１２】
0004672887.tif 000013